(57)【特許請求の範囲】
【請求項１】
陽極酸化処理された金属製の支持基体上に感光層を形成してなる感光体ドラムの電気特性を検査する電気特性検査装置において用いられる感光体ドラム保持治具であって、
その先端部から上記感光体ドラムを挿入されて、上記感光体ドラムを保持する治具本体と、
上記治具本体の先端側から基端側へ向けて線状に延び、上記治具本体の側面に突没自在に備えられる導電性部材とを備え、
上記治具本体の側面から突出している上記導電性部材は、その先端部が上記治具本体の軸線に対して傾斜しており、上記感光体ドラムによって押されて上記治具本体の側面に没入しつつ上記感光体ドラムの内周縁部が上記導電性部材の先端部で擦られることで陽極酸化皮膜が取り除かれて上記金属製支持基体と電気的に接続され、上記治具本体は、上記導電性部材によって導かれる上記感光体ドラムを上記治具本体の側面に没入した上記導電性部材と上記金属製支持基体とが電気的に接続された状態で保持することを特徴とする、感光体ドラム保持治具。
【請求項２】
上記治具本体が、円錐面を備えて構成されることを特徴とする、請求項１記載の感光体ドラム保持治具。
【請求項３】
上記治具本体が、その側面に先端側から基端側へ向けて線状に延びる溝を有し、
上記導電性部材が、その先端部が上記治具本体の側面から突出するようにバネを介して上記溝内に支持され、上記感光体ドラムによって上記バネの付勢力に抗して押されることで上記溝内に没入することを特徴とする、請求項１又は２記載の感光体ドラム保持治具。
【請求項４】
上記電気特性検査装置が、上記感光体ドラムを自動的に搬入する装置として構成されることを特徴とする、請求項１〜３のいずれか１項に記載の感光体ドラム保持治具。
【請求項５】
請求項１〜４のいずれか１項に記載の感光体ドラム保持治具を備えることを特徴とする、電気特性検査装置。
【請求項６】
陽極酸化処理された金属製の支持基体上に感光層を形成して感光体ドラムを製造する製造工程と、上記製造工程で製造された感光体ドラムの電気特性を検査する検査工程とからなる感光体ドラムの製造方法であって、
上記検査工程で、請求項１〜４のいずれか１項に記載の感光体ドラム保持治具によって前記感光体ドラムを保持した状態で前記感光体ドラムの電気特性の検査を行なうことを特徴とする、感光体ドラムの製造方法。
【発明の詳細な説明】
【０００１】
【発明の属する技術分野】
本発明は、複写機やプリンタ等の電子写真装置に用いられる感光体ドラムの電気特性（静電特性）を検査するための電気特性検査装置（静電特性試験器）において用いられる、感光体ドラム保持治具及びこの保持治具を備える電気特性検査装置並びにこの保持治具を用いる感光体ドラムの製造方法に関する。
【０００２】
【従来の技術】
一般に、複写機やプリンタ等の電子写真装置は、例えば図６の模式的な全体構成図に示すように、感光体ドラム１と、感光体ドラム１の表面を帯電する帯電装置５０と、感光体ドラム１の表面に静電潜像を形成すべく光を照射する露光装置５１と、感光体ドラム１の表面に形成された静電潜像を現像してトナー像を形成する現像装置５２と、感光体ドラム１の表面に形成されたトナー像を記録紙等の記録媒体５５に転写する転写装置５３と、感光体ドラム１の表面に残留するトナーや汚れを除去したり、電荷を取り除いたりするクリーニング装置（除電装置）５４とを備えて構成される。
【０００３】
ここで、感光体ドラム１は、図６に示すように、例えばアルミニウムやアルミニウム合金等の金属により構成される円筒状の支持基体１Ａの外周面に感光層１Ｂを形成して構成される。
このうち、感光層１Ｂは、例えば電荷発生層（ＣＧＬ）１ＢＡ及び電荷輸送層（ＣＴＬ）１ＢＢを積層させて形成される有機感光材料層〔光導電性の有機半導体層（ＯＰＣ層）〕として構成される（このような感光体ドラムをＯＰＣ感光体ドラムという）。一般に、感光体ドラム１の支持基体１Ａはアルミニウム（又はアルミニウム合金）により形成されるが、この支持基体１Ａ上に感光層１Ｂを形成する場合には、まず支持基体１Ａを陽極酸化処理して、アルミニウム製の支持基体１Ａの表面に陽極酸化皮膜としてのアルマイト層１Ｃを形成する。このため、実際には、図７に示すように、アルミニウム製の支持基体１Ａ上にアルマイト層１Ｃ，感光層１Ｂが順に積層されることになる。
【０００４】
このように構成される感光体ドラム１は、図７に示すように、帯電装置５０によって表面がマイナスの電荷（−）に帯電された後、露光装置５１から光が照射されることで電荷発生層１ＢＡで電荷が発生し、このうちプラスの電荷（＋）はマイナスの電荷（−）に帯電された感光層１Ｂの表面に向かって電荷輸送層１ＢＢを通じて移動し、その表面で電荷が打ち消しあうことになる。一方、電荷発生層１ＢＡのマイナスの電荷（−）は、アルマイト層１Ｃを通じてアルミニウム製の支持基体１Ａ内へ流れ、このアルミニウム製の支持基体１Ａ内を移動し、感光体ドラム１の端部に取り付けられたアース板付きフランジ（図示せず）を通じて装置本体を介してアースされるようになっている。
【０００５】
【発明が解決しようとする課題】
ところで、このようにして製造される感光体ドラム１は、当然のことながら、規格に合った電気特性（静電特性）を有するか否かを検査する必要がある。このため、感光体ドラム１の電気特性を検査するための電気特性検査装置（例えば静電特性試験器）を開発し、上述の電子写真装置内に実装された状態と同様の状態の下で感光体ドラム１の電気特性の検査を行なっている。
【０００６】
一方、上述のように、電子写真装置内に実装された状態では、感光体ドラム１の表面に静電潜像を形成する際に電子を確実に逃がすべく感光体ドラム１は電子写真装置の装置本体を介してアースされているように、電気特性検査装置によって電気特性の検査を行なう場合にも感光体ドラム１は確実にアースされるようにする必要がある。
【０００７】
これに関し、従来は、検査対象としての感光体ドラム１を検査が終わるたびに手作業で取り換えていたため、感光体ドラム１を電気特性検査装置に装着する際に、図８に示すように、感光体ドラム１を保持する金属製の感光体ドラム保持治具（フランジ）５６を感光体ドラム１の端部１ａに押し付けながら、図８中、矢印で示すように回転させて感光体ドラム保持治具５６を感光体ドラム１の端部１ａに擦り付けることで、感光体ドラム１の端部１ａに形成されている陽極酸化皮膜としてのアルマイト層１Ｃを取り除いて、感光体ドラム１のアルミニウム製支持基体１Ａと金属製の感光体ドラム保持治具５６とを電気的に接続して、感光体ドラム１が確実にアースされるようにしていた。なお、感光体ドラム１の端部１ａが感光層１Ｂによっても覆われている場合には、この感光層１Ｂもアルマイト層１Ｃとともに取り除かれることになる。
【０００８】
また、今日では、電子写真装置の種類に応じて種々の異なる寸法（直径，長さ）の感光体ドラム１が製造されており、これらの多種類の感光体ドラム１について電気特性の検査を行なう必要があり、感光体ドラム１の種類が変わるたびに感光体ドラム保持治具５６を取り換えていた。
しかしながら、これらの多種類の感光体ドラム１について電気特性の検査を行なう必要があるとともに、大量の感光体ドラム１について電気特性の検査を行なう必要があるため、上述のような手作業での感光体ドラム１又は感光体ドラム保持治具５６の交換作業やアースをとるための作業等によって検査に要する時間が長くなり、作業者にかかる作業負担も大きくなってきた。
【０００９】
このため、より簡単な構成及び方法で、電気特性の検査をするのに必要、かつ十分なアースをとれるようにしたり、また、感光体ドラム１の種類が変わるたびに感光体ドラム保持治具５６を取り換えなくても良いように、感光体ドラム保持治具５６を種々の異なる寸法の感光体ドラム１を保持しうるように構成したり、さらには、感光体ドラム１の交換作業等を自動化したりすることが望まれている。
【００１０】
本発明は、このような課題に鑑み創案されたもので、簡単な構成及び方法で、感光体ドラムの電気特性の検査を行なうのに必要、かつ十分なアースをとれるようにして、検査にかかる時間を短縮できるようにして作業効率を向上させるとともに、作業者の負担を軽減できるようにし、さらには感光体ドラムの電気特性を検査するための電気特性検査装置の自動化にも対応できるようにした、感光体ドラム保持治具及びこの保持治具を備える電気特性検査装置並びにこの保持治具を用いる感光体ドラムの製造方法を提供することを目的とする。
【００１１】
また、本発明は、寸法の異なる種々の感光体ドラムを保持しうるように汎用性のあるものとして、検査にかかる時間を短縮できるようにして作業効率を向上させるとともに、作業者の負担を軽減できるようにした、感光体ドラム保持治具及びこの保持治具を備える電気特性検査装置並びにこの保持治具を用いる感光体ドラムの製造方法を提供することを目的とする。
【００１２】
【課題を解決するための手段】
請求項１記載の本発明の感光体ドラム保持治具は、陽極酸化処理された金属製の支持基体上に感光層を形成してなる感光体ドラムの電気特性を検査する電気特性検査装置において用いられる感光体ドラム保持治具であって、その先端部から感光体ドラムを挿入されて、感光体ドラムを保持する治具本体と、治具本体の先端側から基端側へ向けて線状に延び、治具本体の側面に突没自在に備えられる導電性部材とを備え、治具本体の側面から突出している導電性部材が、その先端部が治具本体の軸線に対して傾斜しており、感光体ドラムによって押されて治具本体の側面に没入しつつ感光体ドラムの内周縁部が導電性部材の先端部で擦られることで陽極酸化皮膜が取り除かれて金属製支持基体と電気的に接続され、治具本体は、導電性部材によって導かれる感光体ドラムを治具本体の側面に没入した導電性部材と金属製支持基体とが電気的に接続された状態で保持することを特徴としている。
【００１３】
好ましくは、治具本体は、円錐面を備えるものとして構成する（請求項２）。また、治具本体を、その側面に先端側から基端側へ向けて線状に延びる溝を有するものとし、導電性部材を、その先端部が治具本体の側面から突出するようにバネを介して溝内に支持され、感光体ドラムによってバネの付勢力に抗して押されることで溝内に没入するように構成することが好ましい（請求項３）。
【００１４】
特に、電気特性検査装置を、感光体ドラムを自動的に搬入する装置として構成する場合に適している（請求項４）。
請求項５記載の本発明の電気特性検査装置は、上記の請求項１〜４のいずれか１項に記載の感光体ドラム保持治具を備えることを特徴としている。
請求項６記載の本発明の感光体ドラムの製造方法は、陽極酸化処理された金属製の支持基体上に感光層を形成して感光体ドラムを製造する製造工程と、製造工程で製造された感光体ドラムの電気特性を検査する検査工程とからなる感光体ドラムの製造方法であって、検査工程で、上記の請求項１〜４のいずれか１項に記載の感光体ドラム保持治具によって感光体ドラムを保持した状態で前記感光体ドラムの電気特性の検査を行なうことを特徴としている。
【００１６】
【発明の実施の形態】
以下、本発明の一実施形態にかかる感光体ドラム保持治具及びこの保持治具を備える電気特性検査装置並びにこの保持治具を用いる感光体ドラムの製造方法について、図面を参照しながら詳細に説明する。
まず、本実施形態にかかる感光体ドラム保持治具によって保持される感光体ドラムについて説明すると、感光体ドラムは、例えば複写機やプリンタ等の電子写真装置に用いられるもので、従来技術の欄で既に説明したように(図６参照)、例えばアルミニウムやアルミニウム合金等の金属により構成される円筒状の支持基体１Ａの外周面に感光層１Ｂを形成して構成される。
【００１７】
このように構成される感光体ドラム１の製造方法は、以下のような製造工程と、検査工程とからなる。
つまり、感光体ドラム１は、陽極酸化処理されたアルミニウムやアルミニウム合金等の金属製の支持基体１Ａ上に感光層１Ｂを形成することにより製造される（製造工程）。この製造工程で製造された感光体ドラム１は、感光体ドラムの電気特性を検査する電気特性検査装置によって、その電気特性が検査される（検査工程）。このような製造工程と検査工程とを経て、製品としての感光体ドラム１が製造される。
【００１８】
本実施形態にかかる感光体ドラム保持治具は、この検査工程において用いられる電気特性検査装置において、感光体ドラムを保持するために用いられる。なお、電気特性検査装置は主に静電特性を試験するものであるため、静電特性試験器ともいう。
次に、本感光体ドラム保持治具を備える静電特性試験器について、図４，図５を参照しながら説明する。
【００１９】
図４，図５に示すように、静電特性試験器１０は、感光体ドラム１は縦置き状態で搬送するドラム搬送用コンベア２と、ドラム搬送用コンベア２から装置内へ感光体ドラム１を搬入するドラム搬入装置３と、感光体ドラム１の表面を帯電する帯電装置（帯電器）４と、感光体ドラム１の表面に残留している電荷を取り除く除電装置（除電器）５と、感光体ドラム１の表面電位を測定する電位センサ（表面電位計）６と、感光体ドラム１の表面に光を照射する露光装置（光学系）７と、感光体ドラム１を縦置き状態で保持する感光体ドラム保持治具１１とを備えて構成され、感光体ドラム１の電気特性（静電特性）を自動的に検査できるようになっている。
【００２０】
ここで、感光体ドラム１は、例えばＯＰＣ感光体ドラムであり、陽極酸化処理されたアルミニウム又はアルミニウム合金製（金属製）の支持基体１Ａ上に感光層１Ｂを形成して構成される。この構成については、従来技術（図７参照）で説明したものと同様であるため、ここではその説明を省略する。
ドラム搬入装置３は、ドラム搬入ロボットとして構成され、図４に示すように、例えばドラム搬送用コンベア２の上方から感光体ドラム保持治具１１の上方までの範囲で伸縮可能なアーム部３Ａと、このアーム部３Ａの先端部に取り付けられたチャック部３Ｂとを備えて構成される。
【００２１】
そして、アーム部３Ａがドラム搬送用コンベア２の上方まで伸びて、ドラム搬送用コンベア２上の感光体ドラム１の上方の端部をチャック部３Ｂによって把持し（例えばエアー吸着し）、このようにして把持された状態のままアーム部３Ａがその先端部が感光体ドラム保持治具１１の上方へくるまで縮み、チャック部３Ｂによって把持された感光体ドラム１を試験器本体１０Ａの下方に配設された感光体ドラム保持治具１１上に載置させることで、感光体ドラム１が試験器本体１０Ａ内へ自動的に搬入されるようになっている。後述するように、このようにして感光体ドラム保持治具１１上に感光体ドラム１を載せるだけで感光体ドラム１のアースがとれることになる。
【００２２】
また、帯電装置４，露光装置７，電位センサ６及び除電装置５はいずれも感光体ドラム１の軸線方向へ移動しうるように構成されており、感光体ドラム１の軸線方向の所定箇所（例えば５箇所）で静電特性の検査を行なえるようになっている。
さらに、感光体ドラム保持治具１１にはモータが接続されており、感光体ドラム保持治具１１はこのモータによって駆動されて所定回転速度で回転するようになっている。これにより、感光体ドラム保持治具１１上に載せられて保持された感光体ドラム１の周方向の全周にわたって静電特性の検査を行なえるようになっている。
【００２３】
次に、本実施形態において特徴となる感光体ドラム保持治具１１の具体的な構成について、図１〜図３を参照しながら説明する。
本感光体ドラム保持治具（フランジ）１１は、図１（Ａ），（Ｂ）に示すように、感光体ドラム１を保持する金属製（例えばステンレス製）の治具本体１２と、治具本体１２の側面にその先端側［図１（Ｂ）中、上側］から基端側［図１（Ｂ）中、下側］へ向けて線状に延びる金属製（例えば、ステンレス製）の導電性部材（線状部材）１３とを備えて構成される。なお、図１（Ａ），（Ｂ）中、符号１４はボルトを示している。
【００２４】
なお、感光体ドラム保持治具１１は、静電特性試験器１０の下方に配設されたモータ（図示せず）の出力軸に取り付けられており、所定回転速度で回転するようになっている。
ここで、治具本体１２は、図１（Ｂ）中、二点鎖線で示すように、その先端部１２ａから感光体ドラム１を挿入されて、感光体ドラム１を保持するようになっている。つまり、治具本体１２の先端部１２ａを、感光体ドラム１の端部１ａの内側に嵌め合わせ、感光体ドラム１を固定して保持するようになっている。
【００２５】
具体的には、治具本体１２は、図１（Ｂ）に示すように、種々の異なる径寸法の感光体ドラム１を保持しうるように円錐台形状部分を備えるものとして構成され、この円錐台形状部分の側面（円錐面）が治具本体１２の軸線に対して傾斜しうるように構成される。つまり、治具本体１２は、図１（Ｂ）に示すように、その先端側部分（上側部分）が円錐台形状として構成され（円錐台形状部分）、その基端側部分（下側部分）が円柱状（又は円筒状）として構成される（円柱状部分）。
【００２６】
このように円錐台形状を備えるものとして構成することで、図１（Ｂ）中、二点鎖線で示すように、感光体ドラム径寸法が異なる場合であっても確実に保持しうるようにして、汎用性のある支持部材として機能しうるようにしている。
なお、ここでは、治具本体１２を円錐台形状部分を備えるものとして構成しているが、例えば円錐形状部分を備えるものとして構成しても良く、この場合、円錐形状部分の側面（円錐面）が治具本体１２の軸線に対して傾斜することになる。
【００２７】
また、治具本体１２の形状は、これらに限られるものではなく、治具本体１２の側面に設けられる導電性部材１３の先端部１３ａが治具本体１２の軸線に対して傾斜していれば良いため、例えば角錐形状であっても良いし、三角錐台等の角錐台形状であっても良い。
また、感光体ドラム１の径寸法毎に感光体ドラム保持治具１１を取り換えるのであれば、治具本体１２は従来のフランジのように感光体ドラム１の端部１ａから挿入される部分を円筒状としても良く、この場合には、治具本体１２の側面に設けられる導電性部材１３の先端部１３ａが治具本体１２の軸線に対して傾斜するように、導電性部材１３を治具本体１２の先端側から基端側へ向かって漸増するように形成すればよい。
【００２８】
また、治具本体１２には、図２（Ａ），（Ｂ）に示すように、その側面に先端側から基端側へ向けて線状に延びる断面逆Ｔ字状の溝１５が形成されている。
この治具本体１２の側面（傾斜面）に形成された溝１５内には、導電性部材１３が挿入され、溝１５内にバネ（弾性部材）１６を介して突没自在に収納されている。つまり、導電性部材１３は、その先端部１３ａが治具本体１２の側面から突出するようにバネ１６を介して溝１５内に支持されており、感光体ドラム１によってバネ１６の付勢力に抗して押されることで溝１５内に没入するようになっている。
【００２９】
そして、図２（Ａ），（Ｂ）に示すように、治具本体１２の側面から突出している導電性部材１３は、感光体ドラム１の重量がかかることによって押されて治具本体１２の側面に没入しつつ、感光体ドラム１の内周縁部１ａａが導電性部材１３の先端部１３ａで擦られることで、図３（Ａ）に示すように、陽極酸化皮膜としてのアルマイト層１Ｃが取り除かれてアルミニウム製（又はアルミニウム合金製）の支持基体１Ａと電気的に接続されるようになっている。
【００３０】
これにより、治具本体１２は、感光体ドラム１によって押されて治具本体１２の側面に没入することによって治具本体１２の側面上へ導かれる感光体ドラム１を保持することになる。この場合、導電性部材１３が、治具本体１２の側面に没入してアルミニウム製（又はアルミニウム合金製）の支持基体１Ａと電気的に接続された状態で、治具本体１２が感光体ドラム１を保持することになる。
【００３１】
以下、導電性部材１３の具体的な構成について詳述する。
導電性部材１３は、図２（Ａ）に示すように、金属製の直線状部材（棒状部材）として形成され、図２（Ｂ）に示すように、その断面が逆Ｔ字状になっている。
つまり、この導電性部材１３は、図２（Ｂ）に示すように、平面状の底面部１３Ａと、底面部１３Ａの中央部が隆起して形成された突起部１３Ｂとから構成される。
【００３２】
この突起部１３Ｂの頂部（導電性部材の先端部）１３ａは、円弧状（Ｒ状）とされており、感光体ドラム１が載せられた場合にできるだけ感光体ドラム１を傷つけたり、変形させたりしないようにしている。なお、突起部１３Ｂの頂部１３ａを円弧状としているが、この形状はこれに限られるものではなく、例えば鋭角に尖った形状としても良いし、角状としても良い。
【００３３】
また、突起部１３Ｂの高さは、感光体ドラム１の内周縁部１ａａに形成されるアルマイト層１Ｃが擦り取るのに必要、かつ十分な高さに設定される。例えば、突起部１３Ｂの高さを高く設定すれば、感光体ドラム１の内周縁部１ａａと突起部１３Ｂの頂部１３ａとがより長い距離にわたって擦り付けられることになるため、アルマイト層１Ｃが厚い場合であっても確実に取り除くことができることになる。
【００３４】
なお、ここでは、導電性部材１３はその全長にわたって等しい高さの部材として構成しているが、その高さは漸増させたり、漸減させたりしても良い。これにより、感光体ドラム１の径寸法に応じて感光体ドラム１の内周縁部１ａａと突起部１３Ｂの頂部１３ａとが擦り付けられる距離を調整することができ、感光体ドラム１の径寸法に応じてアルマイト層１Ｃの厚さが異なる場合であっても、確実にアルマイト層１Ｃを削り取ることができることになる。また、導電性部材１３を支持する複数（ここでは２つ）のバネ１６のバネ力（バネによる付勢力）を変えて設定することによっても同様の効果が得られる。
【００３５】
また、本実施形態では、導電性部材１３は、図１（Ａ）に示すように、治具本体１２の側面に複数（ここでは３つ）設けられている。なお、感光体ドラム１を感光体ドラム保持治具１１に載せる際に、感光体ドラム１の内周縁部１ａａを覆っているアルマイト層１Ｃを確実に削り取ることができるのであれば、導電性部材１３の数はこれに限られるものではない。
【００３６】
ところで、溝１５の底面には、図２（Ａ）に示すように、複数（ここでは２つ）の孔１７が形成されており、これらの孔１７にそれぞれバネ（弾性部材）１６が挿入されている。そして、これらのバネ１６を介して導電性部材１３が治具本体１２に支持されており、導電性部材１３はバネ１６によって治具本体１２の側面に形成された溝１５から突出する方向へ向けて付勢されるようになっている。この場合、図２（Ｂ）に示すように、治具本体１２の側面に形成された溝１５の外側壁面１２Ａ，１２Ａに導電性部材１３の底面部１３Ａが当接して引っかかり、導電性部材１３が溝１５の外側へ飛び出さないようになっている。この場合、溝１５の外側壁面１２Ａ，１２Ａは、導電性部材１３の飛び出しを防ぐストッパとして機能している。
【００３７】
本実施形態にかかる感光体ドラム保持治具１１は、上述のように構成されるため、この感光体ドラム保持治具１１に感光体ドラム１を載せると、図３（Ａ），（Ｂ）に示すように、感光体ドラム１の内周縁部１ａａに導電性部材１３が当接し、感光体ドラム１は、このように導電性部材１３の頂部１３ａに当接した状態で、感光体ドラム１の径寸法に応じた位置（所定位置）にくるまでずれていく。この際、感光体ドラム１の内周縁部１ａａを覆っているアルマイト層１Ｃ等が取り除かれて、金属製の導電性部材１３が、感光体ドラム１のアルミニウム製（又はアルミニウム合金製）の支持基体１Ａと電気的に接続される。これにより、簡単な構成で、感光体ドラム１を変形させることなく、確実にアースをとれることになる。
【００３８】
また、感光体ドラム保持治具１１に感光体ドラム１が載せられると、図３（Ａ），（Ｂ）に示すように、感光体ドラム１が導電性部材１３を押しつける力の大きさに応じて導電性部材１３がバネ１６の付勢力に抗する方向へ移動することで、感光体ドラム１が感光体ドラム保持治具１１上に弾性的に支持される。これにより、導電性部材１３をバネ１６によって弾性的に支持することで、感光体ドラム１を載せた場合に感光体ドラム１を変形させることがないようにしている。なお、導電性部材１３を弾性的に支持できるのであれば、バネ１６でなくても良く、例えばゴムでも良い。
【００３９】
本実施形態にかかる感光体ドラム保持治具を備える静電特性試験器は、上述のように構成されるため、以下のように動作する。
つまり、まずドラム搬送用コンベア２によって搬送されてきた感光体ドラム１はドラム搬入装置３によって自動的に搬入され、静電特性試験器１０の試験器本体１０Ａの下方に配設された感光体ドラム保持治具１１上に載せられる。
【００４０】
このようにして感光体ドラム１が感光体ドラム保持治具１１に載せられるだけで、治具本体１２の側面から突出している導電性部材１３が、感光体ドラム１の重量がかかることによって押されて治具本体１２の側面に没入しつつ、感光体ドラム１の内周縁部１ａａが導電性部材１３の先端部１３ａで擦られることで、図３（Ａ）に示すように、陽極酸化皮膜としてのアルマイト層１Ｃが取り除かれてアルミニウム製（又はアルミニウム合金製）の支持基体１Ａと電気的に接続される。これにより、感光体ドラム１のアースをとることができることになる。
【００４１】
その後、感光体ドラム保持治具１１に支持された感光体ドラム１は、帯電装置４によってその表面を帯電させた後、露光装置７から照射される光で帯電された感光体ドラム１の表面を照射し、この状態の感光体ドラム１の表面電位が電位センサ６によって測定されて、この電位センサ６によって測定された表面電位が規格に合っているかを判定することで、感光体ドラム１の静電特性の検査が行なわれる。なお、感光体ドラム１の表面に残留している電荷は、除電装置５により取り除かれ、以後、露光装置７から照射される光の光量等を変えながら、帯電，露光，測定，除電の処理が繰り返し行なわれる。
【００４２】
したがって、本実施形態にかかる感光体ドラム保持治具及びこの保持治具を備える電気特性検査装置並びにこの保持治具を用いる感光体ドラムの製造方法によれば、感光体ドラム１は、治具本体１２の側面に備えられる導電性部材１３の先端部１３ａに感光体ドラム１の内周縁部１ａａが擦られながらずれていき、治具本体１２の傾斜面（感光体ドラム１の径寸法に応じた所定位置）に取り付けられるため、この際に、感光体ドラム１の内周縁部１ａａを覆っているアルマイト層１Ｃ等が削り取られて、導電性部材１３と感光体ドラム１のアルミニウム製（又はアルミニウム合金製）の支持基体１Ａとが電気的に接続されることになるため、簡単な構成及び方法で、感光体ドラムを変形させないようにしながら、感光体ドラム１の電気特性の検査を行なうのに必要、かつ十分なアースをとれるようになり、検査にかかる時間を短縮できるようにして作業効率を向上させることができるとともに、作業者の負担を軽減できるという利点がある。
【００４３】
また、治具本体１２が、寸法の異なる種々の感光体ドラムを保持しうるように汎用性のあるものとして構成されるため、検査にかかる時間を短縮することができ、これにより作業効率を向上させることができるとともに、作業者の負担を軽減できるという利点がある。
また、感光体ドラム１を感光体ドラム保持治具１１に保持するだけで、感光体ドラム１の内周縁部１ａａを覆っているアルマイト層１Ｃ等を取り除くことができるため、感光体ドラム１の静電特性を検査するための静電特性試験器を自動化させる場合にその制御を複雑にすることなく、容易に自動化に対応できるという利点もある。
【００４４】
なお、上述の実施形態では、感光体ドラム１が自動的に搬入される静電特性試験器に備えられる感光体ドラム保持治具１１について説明したが、この感光体ドラム保持治具１１は感光体ドラム１を手動で搬入する手動式の静電特性試験器にも用いることができる。
また、上述の実施形態では、治具本体１２の側面に備えられる導電性部材１３を突没自在に設けているが、これに限られるものではなく、導電性部材１３は治具本体１２の側面（円錐面）から突出し、治具本体１２の先端側から基端側へ向けて線状に延びる突起部として構成しても良い。これにより、簡単な構成で、感光体ドラムの電気特性の検査を行なうのに必要、かつ十分なアースをとれるようになり、検査にかかる時間を短縮できるようにして作業効率を向上させることができるとともに、作業者の負担を軽減できることになる。なお、この場合には、導電性部材１３の先端部の形状や治具本体１２の軸線に対しての傾斜度合等は、感光体ドラム１の形状を変形させることなく、アルマイト層を確実に取り除くことができるように設定する必要がある。
【００４５】
【発明の効果】
請求項１，３記載の本発明の感光体ドラム保持治具によれば、感光体ドラムは、治具本体の側面に備えられる導電性部材の先端部に感光体ドラムの内周縁部が擦られながらずれていき、治具本体上に取り付けられるため、この際に、感光体ドラムの内周縁部を覆っている陽極酸化皮膜が削り取られて、導電性部材と感光体ドラムの金属製の支持基体とが電気的に接続されることになるため、簡単な構成及び方法で、感光体ドラムを変形させないようにしながら、感光体ドラムの電気特性の検査を行なうのに必要、かつ十分なアースをとれるようになり、検査にかかる時間を短縮できるようにして作業効率を向上させることができるとともに、作業者の負担を軽減できるという利点がある。
【００４６】
請求項２記載の本発明の感光体ドラム保持治具によれば、寸法の異なる種々の感光体ドラムを支持しうるように汎用性のあるものとして構成されるため、検査にかかる時間を短縮することができ、これにより作業効率を向上させることができるとともに、作業者の負担を軽減できるという利点がある。
請求項４記載の本発明の感光体ドラム保持治具によれば、感光体ドラムを感光体ドラム保持治具に保持するだけで、感光体ドラムの内周縁部を覆っている陽極酸化皮膜を取り除くことができるため、感光体ドラムの電気特性を検査するための電気特性検出装置を自動化させる場合に、その制御を複雑にすることなく、容易に自動化することができるという利点もある。
【００４７】
請求項５記載の本発明の電気特性検査装置によれば、感光体ドラムは、治具本体の側面に備えられる導電性部材の先端部に感光体ドラムの内周縁部が擦られながらずれていき、治具本体上に取り付けられるため、この際に、感光体ドラムの内周縁部を覆っている陽極酸化皮膜が削り取られて、導電性部材と感光体ドラムの金属製の支持基体とが電気的に接続されることになるため、簡単な構成及び方法で、感光体ドラムを変形させないようにしながら、感光体ドラムの電気特性の検査を行なうのに必要、かつ十分なアースをとれるようになり、検査にかかる時間を短縮できるようにして作業効率を向上させることができるとともに、作業者の負担を軽減できるという利点がある。
【００４８】
請求項６記載の本発明の感光体ドラムの製造方法によれば、感光体ドラムは、治具本体の側面に備えられる導電性部材の先端部に感光体ドラムの内周縁部が擦られながらずれていき、治具本体上に取り付けられるため、この際に、感光体ドラムの内周縁部を覆っている陽極酸化皮膜が削り取られて、導電性部材と感光体ドラムの金属製の支持基体とが電気的に接続されることになるため、簡単な構成及び方法で、感光体ドラムを変形させないようにしながら、感光体ドラムの電気特性の検査を行なうのに必要、かつ十分なアースをとれるようになり、検査にかかる時間を短縮できるようにして作業効率を向上させることができるとともに、作業者の負担を軽減できるという利点がある。
【図面の簡単な説明】
【図１】本発明の一実施形態にかかる感光体ドラム保持治具の全体構成を示す模式図であって、（Ａ）はその平面図であり、（Ｂ）はその正面図である。
【図２】本発明の一実施形態にかかる感光体ドラム保持治具の導電性部材を拡大して示す模式図であって、（Ａ）はその縦断面図であり、（Ｂ）は（Ａ）のＡ−Ａ矢視断面図である。
【図３】本発明の一実施形態にかかる感光体ドラム保持治具の導電性部材上に感光体ドラムを載せた状態を拡大して示す模式図であって、（Ａ）はその縦断面図であり、（Ｂ）は（Ａ）のＢ−Ｂ矢視断面図である。
【図４】本発明の一実施形態にかかる感光体ドラム保持治具を備える静電特性試験器の全体構成を示す模式的な正面図である。
【図５】本発明の一実施形態にかかる感光体ドラム保持治具を備える静電特性試験器の全体構成を示す平面図である。
【図６】一般的な電子写真装置を示す模式図である。
【図７】一般的な感光体ドラムの一部を拡大して示す模式的な断面図である。
【図８】従来の静電特性試験器内に備えられるフランジへの感光体ドラムの取り付け方を説明するための模式図である。
【符号の説明】
１  感光体ドラム
１Ａ  支持基体
１Ｂ  感光層
１Ｃ  アルマイト層（陽極酸化皮膜）
２  ドラム搬送用コンベア
３  ドラム搬入装置
４  帯電装置（帯電器）
５  除電装置（除電器）
６  電位センサ（表面電位計）
７  露光装置（光学系）
１０  静電特性試験器（電気特性検査装置）
１１  感光体ドラム保持治具
１２  治具本体
１３  導電性部材
１３ａ  先端部
１５  溝
１６  バネ（弾性部材）
１７  孔
【図１】
0003786562.tif 000002
【図２】
0003786562.tif 000003
【図３】
0003786562.tif 000004
【図４】
0003786562.tif 000005
【図５】
0003786562.tif 000006
【図６】
0003786562.tif 000007
【図７】
0003786562.tif 000008
【図８】
0003786562.tif 000009